(57)【特許請求の範囲】
【請求項１】
電気コネクタ（１００）であって、
前記電気コネクタ（１００）の少なくとも１つの第２のハウジング（３００）を受けるのに適したレセプタクル（２０２）を備える第１のハウジング（２０１）を備えるハウジングアセンブリ（２００）であって、前記第２のハウジング（３００）は、前記ハウジングアセンブリ（２００）の上部（２０３）を通って導入され、前記ハウジングアセンブリ（２００）にロック可能であり、前記ハウジングアセンブリ（２００）は、前記第１のハウジング（２０１）に対して開放位置から閉鎖位置へ変位可能なスライダ（２０５）をさらに備え、前記閉鎖位置は、前記スライダ（２０５）を前記第１のハウジング（２０１）の前記レセプタクル（２０２）内へ摺動させることにより達成される位置に対応する、前記ハウジングアセンブリと、
前記電気コネクタ（１００）用の位置保証デバイス（２３０）、すなわちＣＰＡデバイス（２３０）であって、前記第１のハウジング（２０１）および／または前記スライダ（２０５）に対して送出阻止位置からロック位置へ変位可能であり、前記ロック位置は、前記開放位置への前記スライダ（２０５）の移動がブロックされる位置に対応し、前記ＣＰＡデバイス（２３０）は、ランスロッド（２３５）およびランスヘッド（２３２）を有するランス（２３１）を備え、前記ランス（２３１）は、前記ＣＰＡデバイス（２３０）の前記送出阻止位置から前記ロック位置への変位を防止し、かつ前記第２のハウジング（３００）が前記第１のハウジング（２０１）に収容されたときに前記第１のハウジング（２０１）と前記第２のハウジング（３００）とのロック解除を防止することができる、位置保証デバイスとを備えた、前記電気コネクタ（１００）において、
前記第２のハウジング（３００）は突出部（３０３）を備え、前記突出部（３０３）は、前記第２のハウジング（３００）を前記第１のハウジング（２０１）の前記レセプタクル（２０２）に導入する間に、前記ＣＰＡデバイス（２３０）の前記ランス（２３１）を前記送出阻止位置から解放可能にするように構成され、
前記ＣＰＡデバイス（２３０）は、変位を開始するのに必要な力を受けることができるように構成されている操作部材（２３７）を備え、
前記操作部材（２３７）は、前記ランスヘッド（２３２）を覆うように前記ランスヘッド（２３２）の側に突出するとともに、前記ランスヘッド（２３２）から離れる側にも突出していることを特徴とする、電気コネクタ（１００）。
【請求項２】
前記第１のハウジング（２０１）の前記レセプタクル（２０２）は壁により画定され、
前記壁は、前記第２のハウジング（３００）が前記第１のハウジング（２０１）に導入されたときに、前記第２のハウジング（３００）の前記突出部（３０３）が前記第１のハウジング（２０１）に入ることのできる切込み（２１０）または開口を有する、請求項１に記載の電気コネクタ（１００）。
【請求項３】
前記第２のハウジング（３００）の前記突出部（３０３）は、前記第２のハウジング（３００）を前記第１のハウジング（２０１）に導入する間に前記ＣＰＡデバイス（２３０）の前記ランス（２３１）を弾性変形させるように構成されている、請求項１または２に記載の電気コネクタ（１００）。
【請求項４】
前記第２のハウジング（３００）は、少なくとも１つの第２の突出部（３０１ａ、３０１ｂ）を、前記第２のハウジング（３００）の外面（３０２）に備え、前記第２の突出部（３０１ａ、３０１ｂ）は、前記第２のハウジング（３００）を前記第１のハウジング（２０１）に導入する間に前記スライダ（２０５）の溝（２０９ａ〜２０９ｄ）または案内突出部（２０９ａ〜２０９ｄ）と協働することによって、前記スライダ（２０５）が前記第１のハウジング（２０１）の前記レセプタクル（２０２）において前記開放位置から前記閉鎖位置へ移動することができるように構成されている、請求項１から３のいずれか一項に記載の電気コネクタ（１００）。
【請求項５】
前記スライダ（２０５）は少なくとも１つの当接部材（２１２）を備え、前記当接部材（２１２）は、前記ＣＰＡデバイス（２３０）の前記送出阻止位置において前記ランス（２３１）の前記ランスヘッド（２３２）を載置することのできる上面と、前記ＣＰＡデバイス（２３０）の前記ロック位置において前記ランス（２３１）の前記ランスヘッド（２３２）が当接する下面と有する、請求項１から４のいずれか一項に記載の電気コネクタ（１００）。
【請求項６】
前記スライダ（２０５）は、互いに並んだ２つの当接部材（２１２）を備える、請求項１から５のいずれか一項に記載の電気コネクタ（１００）。
【請求項７】
前記ＣＰＡデバイス（２３０）の前記ランス（２３１）は略Ｔ字形または十字形である、請求項１から６のいずれか一項に記載の電気コネクタ（１００）。
【請求項８】
前記ＣＰＡデバイス（２３０）は、Ｔ字形または十字形である前記ランス（２３１）が、前記送出阻止位置において前記スライダ（２０５）の前記２つの当接部材（２１２）に位置するランスクロスバー（２３３）を有するように構成されている、請求項６、または請求項６を引用する請求項７に記載の電気コネクタ（１００）。
【請求項９】
前記ＣＰＡデバイス（２３０）は、前記送出阻止位置において前記ランス（２３１）の前記ランスロッド（２３５）が前記スライダ（２０５）の前記２つの当接部材（２１２）間を通るように構成されている、請求項８に記載の電気コネクタ（１００）。
【請求項１０】
前記ＣＰＡデバイス（２３０）の前記ランス（２３１）は、前記ＣＰＡデバイス（２３０）が前記送出阻止位置にあるときに、前記操作部材（２３７）に加わる力が引張歪みを前記ランス（２３１）に生じさせるように配置され構成されている、請求項１から９のいずれか一項に記載の電気コネクタ（１００）。
【請求項１１】
前記送出阻止位置において、前記ＣＰＡデバイス（２３０）の前記ランス（２３１）の前記ランスヘッド（２３２）は、前記スライダ（２０５）の前記当接部材（２１２）の前記上面に位置し、一方、前記ＣＰＡデバイス（２３０）の前記ランス（２３１）の前記ランスロッド（２３５）は、前記スライダ（２０５）の前記当接部材（２１２）の前記上面の高さから前記スライダ（２０５）の前記当接部材（２１２）の前記下面およびその下方の方向へ延びる、請求項１０に記載の電気コネクタ（１００）。
【請求項１２】
前記ＣＰＡデバイス（２３０）の前記操作部材（２３７）は、前記ランス（２３１）の他端部に接続されている、請求項１０または１１に記載の電気コネクタ（１００）。
【請求項１３】
前記スライダ（２０５）は、前記閉鎖位置において前記第１のハウジング（２０１）の前記切込み（２１０）または前記開口を少なくとも部分的に閉鎖する閉鎖部材（２１４）を備える、請求項２から１２のいずれか一項に記載の電気コネクタ（１００）。
【請求項１４】
前記ＣＰＡデバイス（２３０）は、前記電気コネクタ（１００）をロックするために、前記ロック位置において前記第１のハウジング（２０１）の少なくとも１つの対応するキャビティ（２１３）に収容可能な少なくとも１つの突起（２３９）をさらに備える、請求項１から１３のいずれか一項に記載の電気コネクタ（１００）。
【請求項１５】
請求項１から１４のいずれか一項に記載の電気コネクタ（１００）で使用するハウジングアセンブリ（２００）であって、
突出部（３０３）を備える少なくとも１つの第２のハウジング（３００）を受けるのに適したレセプタクル（２０２）を備える第１のハウジング（２０１）を備え、
前記第１のハウジング（２０１）は前記第２のハウジング（３００）にロック可能であり、前記第２のハウジング（３００）の前記突出部（３０３）は前記第１のハウジング（２０１）の前記レセプタクル（２０２）に導入可能であり、
前記第１のハウジング（２０１）の前記レセプタクル（２０２）は、前記突出部（３０３）が通ることのできる切込み（２１０）または開口を有する壁により画定され、
前記ハウジングアセンブリ（２００）は、前記第１のハウジング（２０１）に対して開放位置から閉鎖位置へ変位可能なスライダ（２０５）をさらに備え、前記閉鎖位置は、前記スライダ（２０５）を前記第１のハウジング（２０１）の前記レセプタクル（２０２）内へ摺動させることにより達成される位置に対応する、ハウジングアセンブリ（２００）。
【発明の詳細な説明】
【技術分野】
【０００１】
本発明は、電気コネクタのロックを作動させ維持するのに適したコネクタ位置保証デバイスを備える電気コネクタに関する。
【背景技術】
【０００２】
特に自動車産業用の電気コネクタは、コネクタ位置保証デバイス、すなわちＣＰＡデバイスと組み合わせて使用され、衝撃および／または振動を定期的に受ける可能性のある環境において、電気コネクタのロックおよびその維持を保証する。ＣＰＡデバイスがないと、電気システムの切断および／または故障が生じるおそれがある。
【０００３】
第２の相手側ハウジングを受けるのに適した第１のハウジングを備える電気コネクタを使用することが知られており、これら２つのハウジング間の接続は、第１のハウジング内で開放位置から閉鎖位置へ摺動可能なスライダを必要とする。スライダの閉鎖中、第２のハウジングは、スライダによってその閉鎖位置へ動かされる。したがって、スライダは、２つのハウジング間の接続に必要な作用力を減らすのに役立つことができる。
【０００４】
さらに、スライダに対して送出阻止位置からロック位置へ変位して、２つのハウジング間のロックを維持することのできるＣＰＡデバイスを使用することも知られている。ＣＰＡデバイスおよびスライダは、閉鎖位置で第１のハウジング側へスライダが変位する間に、ＣＰＡデバイスのブロックがその送出阻止位置から解放されるように構成される。さらに、閉鎖位置で第１のハウジング側へスライダが変位するときのみ、ＣＰＡデバイスが送出阻止位置からロック位置へ進むことが可能になる。
【０００５】
ロック位置ではなく送出阻止位置にあるＣＰＡデバイスの状態で、電気コネクタを常に移送することが通例であることを考慮することが重要である。したがって、公知の電気コネクタにおいては、ＣＰＡデバイスが意図せずそのロック位置側へ進むことを避けるために、開放位置にあるスライダにより第１のハウジングを移送する必要がある。
【発明の概要】
【発明が解決しようとする課題】
【０００６】
そのため、スライダを開放位置に維持すると、移送中に必然的により大きい空間を占めることになり、例えば熱成形プラスチック容器の特別なパッケージングが必要となるため、移送コストが高くなる。
【０００７】
したがって、本発明の目的は、既存のシステムと比べて改良された電気コネクタであって、特に、第１のハウジングにおいて閉鎖位置にあるスライダでの移送を可能にする一方で、簡単な取付の確実な方法で電気コネクタ全体を組み立てるときに間違いが起こりにくくする、電気コネクタを提供することである。
【課題を解決するための手段】
【０００８】
本発明によれば、本目的は、電気コネクタであって、電気コネクタの少なくとも１つの第２の相手側ハウジングを受けるのに適したレセプタクルを備える第１のハウジングを備えるハウジングアセンブリであって、第２のハウジングは、ハウジングアセンブリの上部を通って導入され、ハウジングアセンブリにロック可能であり、ハウジングアセンブリは、第１のハウジングに対して開放位置から閉鎖位置へ変位可能なスライダをさらに備え、閉鎖位置は、スライダを第１のハウジングのレセプタクル内へ摺動させることにより達成される位置に対応する、ハウジングアセンブリと、電気コネクタ用の位置保証デバイス、すなわちＣＰＡデバイスであって、第１のハウジングおよび／またはスライダに対して送出阻止位置からロック位置へ変位可能であり、ロック位置は、開放位置へのスライダの移動がブロックされる位置に対応し、ＣＰＡデバイスは、ランスロッドおよびランスヘッドを有するランスを備え、ランスは、ＣＰＡデバイスの送出阻止位置からロック位置への変位を防止し、かつ第２のハウジングが第１のハウジングに収容されたときに第１のハウジングと第２のハウジングとのロック解除を防止することができる、位置保証デバイスとを備えた、電気コネクタにおいて、第２のハウジングは突出部を備え、突出部は、第２のハウジングを第１のハウジングのレセプタクルに導入する間に、ＣＰＡデバイスのランスをその送出阻止位置から解放可能にするように構成されていることを特徴とする電気コネクタにより達成される。
【０００９】
したがって、本発明の目的は、第２のハウジングの突出部を用いて第２のハウジングを導入することによってのみ、ＣＰＡデバイスをブロック解除できるようにすることによって達成される。これにより、閉鎖されたスライダおよび送出阻止位置にあるＣＰＡデバイスの状態でハウジングアセンブリを移送することが可能になる。したがって、移送中の体積を小さくすることができ、嵩張ってより費用のかかるパッケージングを避けることができる。さらに、第２のハウジングがない場合におけるＣＰＡデバイスの意図しないブロック解除は、実質的に不可能になる。
【００１０】
以下の実施形態により、本発明をさらに改良することができる。
【００１１】
本発明の別の実施形態によれば、第１のハウジングのレセプタクルを壁により画定することができ、壁は、第２のハウジングが第１のハウジングに導入されたときに、第２のハウジングの突出部が第１のハウジングに入ることのできる切込みまたは開口を有する。本実施形態により、第２のハウジングの突出部を第１のハウジングに収容するのに十分な空間を提供することによって、第２のハウジングを第１のハウジング内に挿入することが可能になる。この有利な構成により、互いに接続可能な電気コネクタを単一のステップで簡単に装着することも可能になる。
【００１２】
本発明の別の実施形態によれば、第２のハウジングの突出部は、第２のハウジングを第１のハウジングに導入する間にＣＰＡデバイスのランスを弾性変形させるように構成することができる。本実施形態は、第２のハウジングの突出部のみによってロック位置におけるＣＰＡデバイスの作動を可能にし、したがって、第２のハウジングとは別に実現されるハウジングアセンブリの移送中にＣＰＡデバイスの意図しない作動を防止するため、特に有利である。さらに、ランスの弾性変形が可逆的であり、したがってランスに損傷を与えることなく再現可能であるため、ＣＰＡデバイスのランスのブロック解除は単一の繰り返し可能な方法で行われる。
【００１３】
本発明の別の実施形態によれば、第２のハウジングは、少なくとも１つの第２の突出部を、特に第２のハウジングの外面に備えることができ、この第２の突出部は、第２のハウジングを第１のハウジングに導入する間にスライダの溝または案内突出部と協働することによって、スライダが第１のハウジングのレセプタクルで開放位置から閉鎖位置へ移動することができるように構成されている。本実施形態により、第１のハウジングを備えるハウジングアセンブリに第２のハウジングを装着することを容易にすることができる。これは、スライダを開放位置から閉鎖位置へ摺動させるステップを、電気コネクタの２つのハウジングを嵌合させるステップ、およびＣＰＡデバイスをブロック解除するステップと組み合わせるからである。したがって、簡単な装着が可能になる。
【００１４】
本発明の別の実施形態によれば、スライダは少なくとも１つの当接部材を備えることができ、当接部材は、ＣＰＡデバイスの送出阻止位置においてランスヘッドを載置することのできる上面と、ＣＰＡデバイスのロック位置においてランスヘッドが当接することのできる下面とを有する。このスライダの当接部材により、ＣＰＡデバイスの位置をロック位置に維持する機能と、ＣＰＡデバイスを送出阻止位置にブロックする機能との２つの機能を果たすことができる。本実施形態により、ＣＰＡデバイスの送出阻止位置の意図しないブロック解除を防止することも可能になる。これは、ランスを弾性変形させることのできる力が加えられたときのみ、ランスヘッドの変位が可能であるからである。
【００１５】
ＣＰＡデバイスのランスヘッドを維持する機能およびブロックする機能をさらに向上させるために、スライダは、互いに並んで配置された２つの当接部材を備えることができると好ましい。
【００１６】
本発明の別の実施形態によれば、ＣＰＡデバイスのランスヘッドは略Ｔ字形または十字形であってよい。そのような変形形態は、Ｔ字形または十字形であるランスが、送出阻止位置においてスライダの２つの当接部材に位置するランスクロスバーを有するように、ＣＰＡデバイスを構成することができると特に有利である。したがって、ランスヘッドの形状により、ＣＰＡデバイスを送出阻止位置にブロックし、移送中のＣＰＡデバイスの意図しないロックを避けることが可能になる。これは、例えば、ランスヘッドの特定の幾何形状により、スライダの当接部材に当たるランスヘッドの接触面を増加させることができるからである。
【００１７】
本発明の別の実施形態によれば、ＣＰＡデバイスは、送出阻止位置においてランスのランスロッドがスライダの２つの当接部材間を通るように構成することができる。本実施形態により、ＣＰＡデバイスのランスロッドを定位置に維持することができ、したがって、ランスロッドが破損する危険、または当接部材を設けたスライダの表面に平行な面においてランスロッドが意図せず変位する危険を減らすことができる。
【００１８】
本発明の別の実施形態によれば、ＣＰＡデバイスは、変位を開始する力を受けることができるように構成されている操作部材をさらに備えることができる。本実施形態により、ユーザがＣＰＡデバイスを押してロックを作動させたときに、ランスヘッドが力を直接受けないため、ＣＰＡデバイスのランスに損傷を与える危険を減らすことができる。ＣＰＡデバイスの操作部材により、ユーザが行うＣＰＡデバイスの操作を簡単にすることもできる。
【００１９】
本発明の別の実施形態によれば、ＣＰＡデバイスのランスは、ＣＰＡデバイスが送出阻止位置にあるときに、操作部材に加わる力が引張歪みをランスに生じさせるように配置し構成することができる。本実施形態は、ＣＰＡデバイスのランスの座屈を避けることによりランスを送出阻止位置にブロックしている間、ランスに安定性を与える。
【００２０】
本発明の別の実施形態によれば、送出阻止位置において、ＣＰＡデバイスのランスヘッドは、スライダの当接部材の上面に位置することができ、一方、ＣＰＡデバイスのランスのロッドは、スライダの当接部材の上面の高さからスライダの当接部材の下面およびその下方の方向へ延びることができる。したがって、ハウジングの切込みを小さくすることができ、第１のハウジングの機械的安定性が可能になる。
【００２１】
本発明の別の実施形態によれば、ＣＰＡデバイスの操作部材をランスの他端部に接続することができる。したがって、牽引による力の伝達は簡単な方法で行われる。
【００２２】
本発明の別の実施形態によれば、スライダは、閉鎖位置において第１のハウジングの切込みまたは開口を少なくとも部分的に閉鎖する閉鎖部材を備えることができる。この閉鎖部材によっても、ハウジングアセンブリと第２のハウジングとの定位置における維持が向上する。
【００２３】
本発明の別の実施形態によれば、ＣＰＡデバイスは、電気コネクタをロックするために、ロック位置において第１のハウジングの少なくとも１つの対応するキャビティに収容可能な少なくとも１つの突起をさらに備える。本実施形態により、第２のハウジングを第１のハウジングに導入した後に、スライダが意図せず開放位置へ変位できないようにすることができる。これにより、嵌合するハウジングの接続が維持される。
【００２４】
本発明の目的はまた、電気コネクタで使用するハウジングアセンブリであって、電気コネクタの突出部を備える少なくとも１つの第２の相手側ハウジングを受けるのに適したレセプタクルを備える第１のハウジングを備え、第１のハウジングは第２のハウジングにロック可能であり、第２のハウジングの突出部は第１のハウジングのレセプタクルに導入可能であり、第１のハウジングのレセプタクルは、突出部が通ることのできる切込みまたは開口を有する壁により画定され、ハウジングアセンブリは、第１のハウジングに対して開放位置から閉鎖位置へ変位可能なスライダをさらに備え、閉鎖位置は、スライダを第１のハウジングのレセプタクル内へ摺動させることにより達成される位置に対応する、ハウジングアセンブリにより達成することができる。
そのような発明の利点は、閉鎖されたスライダおよび送出阻止位置にあるＣＰＡデバイスの状態でハウジングアセンブリを移送することができることである。したがって、移送中のコンパクトさが向上し、パッケージングが簡単になる。さらに、本発明により、第２のハウジングがない場合にＣＰＡデバイスを意図せずブロック解除する危険を減らすことができる。
【００２５】
前述した実施形態および変形形態を組み合わせて、本発明のさらに有利な実施形態の変形形態を形成することもできる。
【００２６】
好ましい実施形態を用い、特に以下の添付図面に基づいて、本発明およびその利点についてさらに詳細に説明する。
【図面の簡単な説明】
【００２７】
【図１ａ】ハウジングアセンブリと第２の相手側ハウジングとの接続およびロック前の、本発明による電気コネクタの概略図である。
【図１ｂ】第２のハウジングがハウジングアセンブリに接続されロックされている、電気コネクタの概略横断面図である
【図２】第１のハウジング、スライダ、およびＣＰＡデバイスを備えるハウジングアセンブリの一部の概略横断面図である。
【図３ａ】電気コネクタのハウジングアセンブリと第２の相手側ハウジングとを接続するステップを示す概略横断面図である。
【図３ｂ】電気コネクタのハウジングアセンブリと第２の相手側ハウジングとを接続するステップを示す概略横断面図である。
【図３ｃ】図３ｂの一部拡大図である。
【図３ｄ】電気コネクタのハウジングアセンブリと第２の相手側ハウジングとを接続するステップを示す概略横断面図である。
【図４】移送モードにおけるハウジングアセンブリの概略図である。
【発明を実施するための形態】
【００２８】
本発明はＣＰＡデバイスを使用する任意のタイプの電気コネクタに実質的に適用可能であることを、当業者は理解するだろう。
【００２９】
図１ａは、未装着の状態の電気コネクタ１００を示す。電気コネクタ１００は、第２の相手側ハウジング３００（以下「第２のハウジング３００」ともいう。）に接続可能かつ第２のハウジング３００にロック可能なハウジングアセンブリ２００を備える。図１ｂは、装着されロックされている状態の電気コネクタ１００を示す。電気コネクタ１００のロックにより、電気コネクタ１００が衝撃および／または振動を受けたときに生じ得る、ハウジングアセンブリ２００と第２のハウジング３００との意図しない分離を避けることができる。
【００３０】
ハウジングアセンブリ２００は第１のハウジング２０１を備え、第１のハウジング２０１は、電気コネクタ１００の第２の相手側ハウジング３００を受けるのに適したレセプタクル２０２を備える。したがって、第２のハウジング３００は、電気コネクタ１００の雄部品であり、第１のハウジングは雌部品である。
【００３１】
第１のハウジング２０１のレセプタクル２０２は、第１のハウジング２０１の上部２０３の適切な開口を通って第２のハウジング３００を内部に導入できるように構成される。図では、第２のハウジング３００を第１のハウジング２０１のレセプタクル２０２に挿入する方向が、矢印２０４で示されている。
【００３２】
さらに、第１のハウジング２０１は、レセプタクル２０２に隣接する切込み２１０を備える。代替実施形態において、第１のハウジング２０１は、切込み２１０の代わりに、例えば長方形の孔またはキャビティの形の開口を備えることもできる。
【００３３】
ハウジングアセンブリ２００はスライダ２０５も備える。スライダ２０５は、実質的に、第１のハウジング２０１内で摺動可能な、底部のない引出しとして形成することができる。第１のハウジング２０１は、スライダ２０５がその内部で矢印２２０によって示す方向に摺動可能であるように構成される。スライダ２０５が第１のハウジング２０１の最も内側にあるとき、そのスライダ２０５の位置を閉鎖位置と称する。図１ａに示すように、スライダ２０５が第１のハウジングの最も外側にある逆の場合、スライダ２０５の位置を開放位置と称する。
【００３４】
さらに、スライダ２０５は前壁２０６を有し、その外面は閉鎖位置において第１のハウジング２０１の外側にとどまる。前壁２０６は、電気コネクタ１００の位置保証デバイス（ＣＰＡデバイス２３０とも称する）を収容するために設けられる。略長方形の孔の形の開口２０７がスライダの前壁２０６にあり、後述するようなＣＰＡデバイス２３０の一部であるランス２３１のランス突出部２３４を収容することができる。ＣＰＡデバイス２３０は、操作部材２３７をさらに備え、その上側操作面２３８は操作部材２３７の上側外面にあり、電気コネクタ１００のロック中にユーザにより操作される。
【００３５】
図１ａにおいて、ＣＰＡデバイス２３０は送出阻止位置にある状態で示される。この位置は、第２の相手側ハウジング３００を導入することにより電気コネクタ１００を組み立てる前に、ハウジングアセンブリ２００のＣＰＡデバイスが収納され移送される位置に対応する。ＣＰＡデバイス２３０の送出阻止位置を意図せず変更することはできない。送出阻止位置にあるＣＰＡデバイス２３０については、図２でさらに説明し例示する。
【００３６】
スライダ２０５は溝２０９ａ〜２０９ｄが形成された側壁２０８を有し、ここでは側壁２０８がそれぞれ２つの溝を有する。代替実施形態において、スライダ２０５の側壁２０８は、溝の代わりに案内突出部を備えることができる。図１ａの実施形態において、溝２０９ａ〜２０９ｄは、レセプタクル２０２の上部２０３の開口から始まることにより、スライダ２０５の側壁２０８の底部を向いた対角線に沿って位置している。スライダ２０５の各側壁２０８の２つの溝２０９ａおよび２０９ｂならびに２０９ｃおよび２０９ｄは、互いに平行である。
【００３７】
スライダ２０５のこれらの溝２０９ａ〜２０９ｄは、第２のハウジング３００の側面３０２に配置された、第２のハウジング３００の第２の突出部（側方突出部）３０１ａ、３０１ｂと協働可能であるように構成される。第２の対の突出部が第２のハウジング３００の反対側の面にも同様に存在するが、図１ａでは見えない。第２のハウジング３００を第１のハウジング２０１に導入する間、第２の突出部３０１ａ、３０１ｂは、スライダ２０５の溝２０９ｃおよび２０９ｄにそれぞれ収容されるようになる。したがって、スライダ２０５を閉鎖することにより、第２のハウジング３００が第１のハウジング２０１内で閉鎖位置へ動かされる。
【００３８】
第２のハウジング３００は、前面３０４に突出部（前方突出部）３０３をさらに備え、この突出部３０３は、第１のハウジング２０１の切込み２１０およびスライダ２０５の開口２０７に収容することができる。ここで、突出部３０３は三角形であるが、例えば、突出部３０３の少なくとも一部が第１のハウジング２０１の切込み２１０およびスライダ２０５の開口２０７を通ることができれば、他の実施形態も可能である。第２のハウジング３００の側面３０２は突出部材３０５も備え、この突出部材３０５により、第２のハウジング３００が受ける応力を制限することができる。
【００３９】
図１ｂは、装着およびロックモードにある電気コネクタ１００を示す。このモードでは、第２のハウジング３００が、第１のハウジング２０１のレセプタクル２０２に完全に導入されている。さらに、その後、スライダ２０５は閉鎖位置にあり、ＣＰＡデバイス２３０はロック位置にある。
【００４０】
これによりロック位置にあるＣＰＡデバイス２３０によって、第１のハウジング２０１と第２のハウジング３００との接続が維持される。
【００４１】
図１ａに示す送出阻止位置とは対照的に、ロック位置にあるＣＰＡデバイス２３０は、矢印２４０の方向で下方に変位している。本実施形態において、ＣＰＡデバイス２３０の下部が、第１のハウジング２０１の下面２１１に接触している。以下で図２および図３ａ〜図３ｃに示す突起を第１のハウジング２０１の対応するキャビティ２１３に導入することにより、スライダ２０５が再び開放されることを避け、したがって、第２のハウジング３００が電気コネクタ１００の第１のハウジング２０１から分離することを避けることができる。ロック位置において、ＣＰＡデバイス２３０の上方への変位がスライダ２０５の当接部材２１２によってブロックされるため、意図しない電気コネクタ１００のロック解除を避けることができる。
【００４２】
さらに、この特定の実施形態において、ここではスライダ２０５の前壁２０６の開口２０７の上部である閉鎖部材２１４が、第１のハウジング２０１の切込み２１０を閉鎖し、第２のハウジング３００に対するハウジングアセンブリ２００の定位置における維持をここでも強化することができる。図２に示すスライダの横断面図により、以下でさらに詳細に説明するこれらの当接部材２１２を強調することができる。
【００４３】
図２では、前述した図１ａおよび図１ｂと同じ参照符号を有する要素については改めて説明せず、上記の説明を参照する。図２は、第２のハウジング３００が第１のハウジング２０１のレセプタクル２０２に部分的に挿入されているがまだ完全には導入されていない進入段階にあり、したがって第１のハウジング２０１が第２のハウジング３００にロックされる前の、電気コネクタ１００の横断面図である。このため、ＣＰＡ２３０は依然として送出阻止位置にある。したがって、スライダ２０５は、第１のハウジング２０１のレセプタクル２０２内へ摺動方向２２０で部分的に摺動する。したがって、図２では、スライダ２０５は依然として開放位置にある。
【００４４】
図２に示すＣＰＡデバイス２３０の横断面は、ＣＰＡデバイスを切断したものであり、操作部材２３７およびその上側操作面２３８は図２では見えない。しかしながら、ＣＰＡデバイス２３０の横断面により、上側操作面２３８より下方に位置するＣＰＡデバイス２３０の構造、および図１ｂに示すＣＰＡデバイス２３０の操作部材２３７の後ろに隠れた部分を強調することができる。
【００４５】
図２は、ＣＰＡデバイス２３０がランス２３１を備え、その上端部がランスヘッド２３２を備える様子を示す。このランスヘッド２３２は、ランスクロスバー２３３と、ランスクロスバー２３３の中央からスライダ２０５の開口２０７および第１のハウジング２０１の切込み２１０の方向に延びるランス突出部２３４とを備える。ランスヘッド２３２は、第１のハウジング２０１の下面２１１の方向に延びるランスロッド２３５によって延長される。ランスロッド２３５の下端部は、ランス屈曲部２３６により操作部材２３７に接続される。
【００４６】
図２に示す横断面では、ランス２３１は略Ｔ字形である。図２に示さない代替実施形態において、ランス２３１の横断面は十字形であってもよい。
【００４７】
したがって、ランス２３１は、ランスヘッド２３２にランスクロスバー２３３を有するように構成されて、送出阻止位置において、ランスクロスバー２３３が、スライダ２０５の前壁２０６から突出する２つの当接部材２１２に載置可能であるようになっている。したがって、ユーザが操作部材２３７を押しても、ＣＰＡデバイス２３０のランスヘッド２３２をブロックして下方への移動を防止する当接部材２１２により、ＣＰＡデバイス２３０は送出阻止位置にブロックされる。
【００４８】
送出阻止状態において、ＣＰＡデバイス２３０のランスロッド２３５は２つの当接部材２１２間に収容される。したがって、当接部材２１２により、ＣＰＡデバイス２３０のランス２３１のランスロッド２３５を定位置に維持することができる。これにより、ランスロッド２３５が前壁２０６に平行な面で意図せず変位する危険を減らす。
【００４９】
ＣＰＡデバイス２３０の底部には、ここでは２つの突起２３９があり、スライダ２０５を第１のハウジング２０１にロックすることができる。これについては、以下でより詳細に説明する。
【００５０】
以下で説明するように、突出部３０３は、ランスヘッド２３２を押すための第１の支持水平部分３０６と、突出部３０３とランス２３１とが接触したときに第１の支持水平部分３０６の屈曲を避けるための第２の補強垂直部分３０７とを備える。
【００５１】
図３ａ、図３ｂ、および図３ｄは、図１および図２で説明した電気コネクタ１００のハウジングアセンブリ２００と第２の相手側ハウジング３００との接続を確立するステップの概略図である。図３ｃは、第２のハウジング３００の突出部３０３とＣＰＡデバイス２３０のランスヘッド２３２との相互作用を示すための、図３ｂの拡大図である。前述した図１ａ、図１ｂ、および図２と同じ参照符号を有する要素については改めて説明せず、上記の説明を参照する。
【００５２】
図３ａに示すステップでは、第２のハウジング３００は、ハウジングアセンブリ２００のレセプタクル２０２に挿入方向２０４で導入される。ハウジングアセンブリ２００は、送出阻止位置においてスライダ２０５に装着されているＣＰＡデバイス２３０の状態で、予め移送され送出されている。さらに、ＣＰＡデバイス２３０は、例えば移送中、スライダ２０５の位置に関係なく、したがって開放位置、部分開放位置、部分閉鎖位置、または閉鎖位置で、この送出阻止位置に維持されている。
【００５３】
したがって、図３ａは、第２のハウジング３００をハウジングアセンブリ２００のレセプタクル２０２に導入するステップを示す。第２のハウジング３００は、上部２０３を通って第１のハウジング２０１のレセプタクル２０２に導入される。図３ａでは見えないが図１ａに示す第２のハウジング３００の第２の突出部３０１ａ、３０１ｂが、スライダ２０５の溝２０９ａ〜２０９ｄを滑り、これにより、第１のハウジング２０１の内部へスライダ２０５の摺動方向２２０に摺動する。したがって、スライダ２０５は開放位置から閉鎖位置へ変位する。図３ａでは、第２のハウジング３００が第１のハウジング２０１のレセプタクル２０２にまだ完全には導入されていないため、スライダ２０５はここでも部分開放位置で示される。
したがって、スライダ２０５を開放位置から閉鎖位置へ摺動させるステップを、電気コネクタ１００の第１のハウジング２０１および第２のハウジング３００を入れ子にするステップと組み合わせて、電気コネクタ１００の接続の装着を容易にする。
【００５４】
第２のハウジング３００が第１のハウジング２０１にさらに導入されると、第２のハウジングの突出部３０３が、このために設けられた第１のハウジング２０１の切込み２１０を通る（図３ｂ参照）。
【００５５】
図３ａでは、ＣＰＡデバイス２３０が送出阻止位置にある。送出阻止位置では、ＣＰＡデバイス２３０のランスヘッド２３２が、スライダ２０５の前壁２０６の外面から突出する当接部材２１２に載置される。したがって、ランスヘッド２３２のランスクロスバー２３３が当接部材２１２を押し、当接部材２１２は、操作部材２３７の上側操作面２３８にランダムな力が加わるにも関わらず、ＣＰＡデバイス２３０の意図しない押下げを防止するため、ＣＰＡデバイスは送出阻止位置に維持される。この結果、ＣＰＡデバイス２３０の意図しないロックを避けることができる。
【００５６】
本発明の本実施形態において、ＣＰＡデバイス２３０の送出阻止位置におけるランスヘッド２３２のランス突出部２３４は、スライダ２０５の開口２０７を少なくとも部分的に通って向けられる。
【００５７】
図３ａはまた、ランス２３１の下端部を操作部材２３７の下端部に連結するランス屈曲部２３６における、ＣＰＡデバイス２３０の突起２３９の１つを示す。突起２３９は、第１のハウジング２０１の対応するキャビティ２１３に収容できるように構成される。図３ａに示す実施形態において、突起２３９およびキャビティ２１３は矩形の幾何形状を有する。代替実施形態において、突起２３９およびキャビティ２１３は、相補的であれば別の幾何形状を有していてもよい。突起２３９をキャビティ２１３に挿入することにより、第２のハウジング３００が第１のハウジング２０１のレセプタクル２０２に完全に導入された後に、スライダ２０５が意図せず開放位置へ変位できないようにすることができる。これにより、嵌合するハウジングの接続が維持される。
【００５８】
さらに、本発明の実施形態により、そのようなＣＰＡデバイスのランスが通例支える圧縮機械応力を減少させることができる。これは、本発明において、ランス２３１のランスロッド２３５が牽引変形を受け、圧縮変形を受けなくなるからである。これにより、先行技術で公知の実施形態と比べて、ＣＰＡデバイス２３０のランス２３１のランスロッド２３５の安定性および堅牢性が向上する。これは、上側操作面２３８とランス２３１とが、当接部材２１２のランスヘッド２３２ではない他側に位置するランス屈曲部２３６で接続されることによる。したがって、上側操作面２３８に加わる力が、ランスロッド２３５に加わる牽引力に変換される。したがって、ＣＰＡデバイス２３０のランス２３１の十分な弾性変形によってのみ、ランスヘッド２３２の変位が可能になる。
【００５９】
図３ｂおよび図３ｃに示すステップでは、第２のハウジング３００が第１のハウジング２０１に完全に導入された状態が示される。この状態では、スライダ２０５は完全閉鎖位置にあり、突出部３０３は開口２０７に位置する。この状態により、スライダ２０５に対するＣＰＡデバイス２３０の変位が可能になる。このステップ中、ユーザはＣＰＡデバイス２３０に圧力を加えて、ＣＰＡデバイス２３０の操作部材２３７の上側操作面２３８を押すことによりＣＰＡデバイス２３０を変位させる。したがって、ＣＰＡデバイス２３０を第１のハウジング２０１の下面２１１まで変位させることができる。
【００６０】
ＣＰＡデバイス２３０を第１のハウジング２０１の底部へ変位させることは、ランスロッド２３５が弾性変形できることによって可能になる。実際に、図３ｂの一部の拡大図である図３ｃに示すように、ランスロッド２３５は、ランスヘッド２３２のランス突出部２３４を前壁２０６の外側へ押す第２のハウジング３００の突出部３０３による湾曲によって変形する。第２のハウジング３００の突出部３０３の寸法は、ランスロッド２３５が十分に曲がって、ランス２３１が当接部材２１２によりブロックされなくなる程度まで傾斜するように決められる。その後、ランス２３１はそのブロック位置から解放され、ユーザが操作部材２３７に方向２４０で力を加えることにより、ＣＰＡデバイス２３０をそのロック位置へ変位させる。図３ｄの説明において、ロック位置をさらに説明する。
【００６１】
図３ｂに示すステップ中、ユーザがＣＰＡデバイス２３０を押してロックを作動させたときに、ランスヘッド２３２が力を直接受けないため、ＣＰＡデバイス２３０のランス２３１に損傷を与える危険が減る。
【００６２】
図３ｄは、図１ｂにおいて前述した、ロック位置におけるＣＰＡデバイス２３０を示す。しかしながら、図３ｄの例示は、図１ｂの電気コネクタ１００の状態の別の角度および別の視点の図に対応する。実際に、図１ｂおよび図３ｄにおいて、電気コネクタ１００は接続されロックされている。したがって、電気コネクタ１００は装着およびロック状態にある。
【００６３】
ロック位置は、ＣＰＡデバイス２３０のランスヘッド２３２が当接部材２１２の下に位置することを特徴とする。このように、ＣＰＡデバイス２３０が上方に変位する場合、ランスヘッド２３２は当接部材２１２に当接し、これにより、ランス２３１をブロックして、ＣＰＡデバイス２３０のロック解除を防止する。
【００６４】
図３ｄに示す装着およびロック状態において、ＣＰＡデバイス２３０の突起２３９が第１のハウジング２０１のキャビティ２１３に収容されることにより、第２のハウジング３００が第１のハウジング２０１のレセプタクル２０２に導入された後に、スライダ２０５が意図せず開放位置へ変位できないようにすることができる。これにより、嵌合するハウジングの接続が維持される。
【００６５】
この特定の実施形態において、スライダ２０５の前壁２０６の閉鎖部材２１４が第１のハウジング２０１の切込み２１０を閉鎖する様子も見て取れる。
【００６６】
図４は、移送が可能なハウジングアセンブリ２００の状態を示す。この状態において、ＣＰＡデバイス２３０は、図２の横断面にも示すように、意図的に送出阻止位置にある。したがって、図４に示すように、本発明によって、閉鎖されたスライダ２０５および送出阻止位置にあるＣＰＡデバイス２３０の状態でハウジングアセンブリ２００を移送することが可能になる。したがって、開放位置におけるスライダ２０５による移送と比べて、移送体積を小さくすることができる。これが可能になるのは、第２のハウジング３００の突出部３０３を用いてランス２３１を曲げることにより第２のハウジング３００を導入することによってのみ、ＣＰＡデバイス２３０がブロック解除されるからである。さらに、第２のハウジング３００がない場合にＣＰＡデバイス２３０を意図せずブロック解除することが実質的に不可能になる。
【符号の説明】
【００６７】
１００  電気コネクタ
２００  ハウジングアセンブリ
２０１  第１のハウジング
２０２  レセプタクル
２０３  上部
２０４  挿入方向
２０５  スライダ
２０６  前壁
２０７  開口
２０８  側壁
２０９ａ〜２０９ｄ  溝
２１０  切込み
２１１  下面
２１２  当接部材
２１３  キャビティ
２１４  閉鎖部材
２２０  摺動方向
２３０  ＣＰＡデバイス
２３１  ランス
２３２  ランスヘッド
２３３  ランスクロスバー
２３４  ランス突出部
２３５  ランスロッド
２３６  ランス屈曲部
２３７  操作部材
２３８  上側操作面
２３９  突起
２４０  加わる力の方向
３００  第２のハウジング
３０１ａ、３０１ｂ  第２の突出部
３０２  側面
３０３  突出部
３０４  前面
３０５  突出部材
３０６  第１の支持水平部分
３０７  第２の補強垂直部分
【図１ａ】
0006906065.tif 000002
【図１ｂ】
0006906065.tif 000003
【図２】
0006906065.tif 000004
【図３ａ】
0006906065.tif 000005
【図３ｂ】
0006906065.tif 000006
【図３ｃ】
0006906065.tif 000007
【図３ｄ】
0006906065.tif 000008
【図４】
0006906065.tif 000009